(57)【要約】【課題】紛失、盗難、置き忘れの状態にある携帯通信端末装置の状態を特定すること。【解決手段】外部接続機器１１０からの指示により、自走動作対応制御部３８４は、筐体可動部の動きを検知する可動検知部３９０と、キー操作を検知する入力操作部１５０と、光を検知する光検知部３９２とを動作させる。通信端末装置（携帯電話機３００）の使用開始に伴い、可動検知部３９０、入力操作部１５０、光検知部３９２の少なくともいずれから出力された検知信号に基づき、自走動作対応制御部３８４は、撮影部１６０に画像からなる周囲情報を取得させる。この取得した画像情報は、電子メールにより所定のメールアドレス宛に送信される。この画像情報を受信した携帯電話機３００の所有者は、画像情報から携帯通信端末装置の状態（位置や不正使用者）を特定することができる。【選択図】      図３
2004235771.tif 000002
【特許請求の範囲】
【請求項１】
外部機器と通信回線を介して接続し情報の入出力をする情報入出力手段と、
前記外部機器からの認証許可の要求を判別し、その判別結果に基づいて認証許可情報を送出する認証手段と、
周囲の周囲情報を取得し記録する周囲情報取得手段と、
前記認証手段により認証を許可された前記外部機器からの指令に基づき前記周囲情報取得手段を動作させる遠隔制御手段と、
を具備した携帯通信端末装置。
【請求項２】
外部機器と通信回線を介して接続し情報の入出力をする情報入出力手段と、
前記外部機器からの認証許可の要求を判別し、その判別結果に基づいて認証許可情報を送出する認証手段と、
周囲の周囲情報を取得し記録する周囲情報取得手段と、
操作を検知して使用開始信号を送出する使用開始検出手段と、
前記認証手段により認証を許可された前記外部機器からの指令に基づき前記使用開始検出手段の動作の開始と継続がなされている状態において、前記使用開始検出手段からの前記使用開始信号に基づき前記周囲情報を取得する自走取得手段と、
を具備した携帯通信端末装置。
【請求項３】
外部機器と通信回線を介して接続し情報の入出力をする情報入出力手段と、
周囲の周囲情報を取得し記録する周囲情報取得手段と、
入力操作を検知して使用開始信号を送出する使用開始検出手段と、
入力操作部からの所定の解除操作に基づき機能制御を解除するキーロック解除手段と、
前記キーロック解除手段の所定の解除操作の誤り発生に基づき前記使用開始検出手段の動作の開始と継続がなされている状態において、前記使用開始検出手段からの前記使用開始信号に基づき前記周囲情報を取得する自走取得手段と、
を具備した携帯通信端末装置。
【請求項４】
前記使用開始検出手段は、可動検知部が筐体可動部の動きを検知して送出される可動検知信号に基づき使用開始信号を送出することを特徴とする請求項２または請求項３に記載の携帯通信端末装置。
【請求項５】
前記使用開始検出手段は、入力操作部が入力操作を検知して送出された入力検知信号に基づき使用開始信号を送出することを特徴とする請求項２または請求項３に記載の携帯通信端末装置。
【請求項６】
撮影部をさらに備え、
周囲情報取得手段で得られる情報が、前記撮影部で撮影された静止画像情報または動画像情報のいずれかであることを特徴とする請求項１から請求項３のいずれかに記載の携帯通信端末装置。
【請求項７】
音声入出力部をさらに備え、
周囲情報取得手段で得られる情報が、前記音声入出力部で録音された音声情報であることを特徴とする請求項１から請求項３のいずれかに記載の携帯通信端末装置。
【請求項８】
時計部と、
前記撮影部で撮影された前記画像情報と撮影された日付または時刻の少なくとも一方を意味する画像情報とを合成する画像合成手段と、
をさらに備えたことを特徴とする請求項６記載の携帯通信端末装置。
【請求項９】
さらに記録部と、
前記取得された周囲情報を、前記記録部に記録された所定のメールアドレスに送信する手段と、
を具備したことを特徴とする請求項１から請求項３のいずれかに記載の携帯通信端末装置。
【請求項１０】
前記携帯通信端末が携帯電話機であることを特徴とする請求項１から請求項３のいずれかに記載の携帯通信端末装置。
【請求項１１】
外部機器からの認証許可の要求を判別し、その判別結果に基づいて認証許可情報を送出する認証ステップと、
前記認証ステップにより認証を許可された前記外部機器からの指令に基づき周囲情報を取得する周囲情報取得ステップと、
を具備した携帯通信端末装置の遠隔制御方法。
【発明の詳細な説明】
【０００１】
【発明の属する技術分野】
本発明は携帯通信端末装置に関するものである。特に、盗難、紛失、置き忘れに際し、その携帯通信端末装置の状態（位置やユーザ以外の不正な使用、ユーザ以外の不正な使用者の特定等）を容易に行える携帯通信端末装置及びその遠隔制御方法を提供することを目的とする。
【０００２】
【従来の技術】
近年、携帯電話機等の携帯通信端末装置は高機能化が進み、画像入出力装置、音声入出力装置などを備えた携帯通信端末装置が普及している。
【０００３】
これら携帯通信端末装置は、高機能化により装置の価値が高まり、紛失、盗難、置き忘れ時におけるユーザの損失は大きい。さらに携帯通信端末装置は、携帯型の通信端末であるので装置寸法が小さく、盗難、紛失、置き忘れに際して携帯通信端末装置を発見することは困難であった。
【０００４】
また、携帯通信端末装置には、電話番号、住所などの個人情報が多く記録されている。このため盗難、紛失、置き忘れ時には、ユーザ以外の者が、携帯通信端末装置に記録されている電話番号、住所などの個人情報を不正に入手可能な状態にあることが問題であった。特にユーザ以外の不正な使用の有無の特定、並びにユーザ以外の不正な使用者の特定が必要である。
【０００５】
第１の従来の技術として、盗難、紛失、置き忘れ時に、ＧＰＳ機能を用いて携帯電話機の位置を検出し、発見を容易にする携帯電話機がある（例えば、特許文献１参照）。
【０００６】
以下、図１０に置き忘れ対策機能を内蔵した携帯電話機のブロック図を示す。図１０に基づいて第１の従来の技術を説明する。
【０００７】
無線部１００１は、アンテナ１００９を介して無線電波の送受信を行う。置き忘れ対策用識別子情報１０１６は、記憶部１００７に記憶されている。メール処理部１０１１は、メール送受信の制御や表示部１００６の表示処理を行う。置き忘れ対策処理部１０１２は、置き忘れ対策の制御を行う。また、位置情報処理部１００８は、ＧＰＳ機能により携帯電話機の現在位置を検出する。
【０００８】
このような構造を持つ携帯電話機をユーザが紛失した場合、ユーザは、予め定められた置き忘れ対策用識別子と暗証番号とを含むメールをパソコン等から携帯電話機に送信する。メール処理部１０１１は、受信したメールに置き忘れ対策用識別子と暗証番号とが含まれているかを判別し、置き忘れ対策用識別子と暗証番号とを含まない場合には、メール処理部１０１１は、置き忘れ対策用の制御を行わず、通常のメール受信の処理を行う。これに対し、置き忘れ対策用識別子と暗証番号とを含む場合には、置き忘れ対策処理部１０１２は、置き忘れ対策用の制御を行う。具体的な置き忘れ対策用の制御は、操作部１００５からの入力をロックし、置き忘れ対策用識別子を含むメールを送信した送信元にメモリダイヤルリスト１０１３の内部情報を送出する。次に、置き忘れ対策処理部１０１２は、置き忘れ対策用識別子を含むメールを送信した送信元に、ＧＰＳ機能で検知した位置情報を送出する。このようにユーザは携帯電話機が存在する場所の位置情報を得ることが出来る。
【０００９】
第２の従来の技術として、通信ネットワークを介して人の動きを監視する、監視システムが提案されている（例えば、特許文献２参照）。
【００１０】
以下、図１１に遠隔監視システムのブロック図を示す。図１１をもとに第２の従来の技術を説明する。
【００１１】
画像を撮影する画像撮像送信ユニット１１０２は被監視場所１１０１に存在し、画像の受信と再生をする画像受信再生ユニット１１０４は被監視場所１１０１から離れた遠隔地１１０３に存在する。画像撮像送信ユニット１１０２と画像受信再生ユニット１１０４とは中継局１１０５を介して接続されている。
【００１２】
ユーザの指令により、画像撮像送信ユニット１１０２で撮影された被監視場所１１０１の画像は、画像情報として電話機１１０３と一般公衆回線１１１０とを介して中継局１１０５に伝送される。中継局１１０５で受信した画像情報は、Ｗｅｂ情報に変換されインターネット１１１２を介して遠隔地１１０３にある画像受信再生ユニット１１０４上に表示される。このとき、画像受信再生ユニット１１０４は、無線によりインターネット接続できる携帯電話機１１０９の場合もある。このようにして、ユーザは、指令を出すことで特定の監視場所の映像を受信することが出来る。
【００１３】
【特許文献１】
特開２００２−１１１８５８号公報（第２−３頁、第１図）
【特許文献２】
特許第３２２９８７７号公報（第４−７頁、図１）
【００１４】
【発明が解決しようとする課題】
しかしながら、第１の従来例における置き忘れ対策機能を内蔵した携帯電話機は、その位置を測定する為にＧＰＳ機能を搭載する必要があり、構成が複雑かつ大型化することを避け得ない問題があるとともに、携帯電話機が存在する位置情報のみを取得するようになされていることにより、ユーザ以外の不正な使用者による使用の有無を検出することが困難である。さらには、携帯通信端末が送出する位置情報からでは、ユーザ以外の不正な使用者の特定をすることが出来ないという問題があった。
【００１５】
また、第２の従来例における監視システムは、ユーザの指令に基づいてのみ監視をすることが可能である。このため、第２の従来例における監視システムは、監視場所における監視対象者の存在を自動的に判断し、監視することが困難であるという問題があった。
【００１６】
本発明はかかる点に鑑みてなされたものであり、紛失、盗難、置き忘れ時において、携帯通信端末装置及びその遠隔制御方法は、携帯端末装置の位置やその不正使用状態を特定するための情報を遠隔操作により取得し得る機能を簡易な構成によって提供することを目的とする。
【００１７】
【課題を解決するための手段】
本発明の携帯通信端末装置は、外部機器と通信回線を介して接続し情報の入出力をする情報入出力手段と、前記外部機器からの認証許可の要求を判別し、その判別結果に基づいて、認証許可情報を送出する認証手段と、周囲の周囲情報を取得し記録する周囲情報取得手段と、前記認証手段により認証を許可された前記外部機器からの指令に基づき前記周囲情報取得手段を動作させる遠隔制御手段とを具備する構成を採る。
【００１８】
この構成によれば、外部機器を使用するユーザは、認証指令に基づき携帯通信端末装置を制御し、通信回線を介した遠隔地に存在する携帯通信端末装置の周囲の周囲情報を取得できる。
【００１９】
本発明の携帯通信端末装置は、外部機器と通信回線を介して接続し情報の入出力をする情報入出力手段と、前記外部機器からの認証許可の要求を判別し、その判別結果に基づいて認証許可情報を送出する認証手段と、周囲の周囲情報を取得し記録する周囲情報取得手段と、操作を検知して使用開始信号を送出する使用開始検出手段と、前記認証手段により認証を許可された前記外部機器からの指令に基づき前記使用開始検出手段の動作の開始と継続がなされている状態において、前記使用開始検出手段からの前記使用開始信号に基づき前記周囲情報を取得する自走取得手段とを具備する構成を採る。
【００２０】
この構成によれば、通信回線を介した外部機器の指令により、携帯通信端末装置はユーザ以外の不正な使用者による使用開始を検知することができる。この使用開始の検知に基づき、周囲情報を取得し、取得した周囲情報からユーザ以外の不正な使用者の特定をすることができる。
【００２１】
本発明の携帯通信端末装置は、外部機器と通信回線を介して接続し情報の入出力をする情報入出力手段と、周囲の周囲情報を取得し記録する周囲情報取得手段と、入力操作を検知して使用開始信号を送出する使用開始検出手段と、入力操作部からの所定の解除操作に基づき機能制御を解除するキーロック解除手段と、前記キーロック解除手段の所定の解除操作の誤り発生に基づき前記使用開始検出手段の動作の開始と継続がなされている状態において、前記使用開始検出手段からの前記使用開始信号に基づき前記周囲情報を取得する自走取得手段とを具備する構成を採る。
【００２２】
この構成によれば、携帯通信端末装置は、キーロック解除が出来ない不正な使用者による使用開始を検知し、周囲情報を取得する。この周囲情報により、ユーザ以外の不正な使用者の特定をすることができる。
【００２３】
本発明の携帯通信端末装置は、上記構成において、前記使用開始検出手段は、可動検知部が筐体可動部の動きを検知して送出される可動検知信号に基づき使用開始信号を送出する構成を採る。
【００２４】
この構成によれば、携帯通信端末装置は、可動検知部における筐体の動きを検知すること基づき使用開始検出信号を送出し、周囲情報を取得する。この周囲情報により、ユーザ以外の不正な使用者の使用開始を検知することができ、さらにはユーザ以外の不正な使用者を特定することができる。
【００２５】
本発明の携帯通信端末装置は、上記構成において、前記使用開始検出手段は、入力操作部が入力操作を検知して送出された入力検知信号に基づき使用開始信号を送出する構成を採る。
【００２６】
この構成によれば、携帯通信端末装置は、入力操作部での操作の検知に基づき、使用開始検出信号を送出し、周囲情報を取得する。この周囲情報により、ユーザ以外の不正な使用者の使用開始を検知することができ、さらにはユーザ以外の不正な使用者の特定をすることができる。
【００２７】
本発明の携帯通信端末装置は、上記構成において、撮影部をさらに備え、周囲情報取得手段で得られる情報が、前記撮影部で撮影された静止画像情報または動画像情報のいずれかである構成を採る。
【００２８】
この構成によれば、携帯通信端末装置は、周囲情報として静止画像情報または動画像情報を取得する。この静止画像情報または動画像情報からなる周囲情報により、ユーザ以外の不正な使用者の使用開始を検知することができ、さらにはユーザ以外の不正な使用者の特定をすることができる。
【００２９】
本発明の携帯通信端末装置は、上記構成において、音声入出力部をさらに備え、周囲情報取得手段で得られる情報が、前記音声入出力部で録音された音声情報である構成を採る。
【００３０】
この構成によれば、携帯通信端末装置は、周囲情報として音声情報を取得する。この音声情報からなる周囲情報により、ユーザ以外の不正な使用者の使用開始を検知することができ、さらにはユーザ以外の不正な使用者を特定することができる。
【００３１】
本発明の携帯通信端末装置は、上記構成において、時計部と、前記撮影部で撮影された前記画像情報と撮影された日付または時刻の少なくとも一方を意味する画像情報とを合成する画像合成手段とをさらに備えた構成を採る。
【００３２】
この構成によれば、携帯通信端末装置は、画像情報に日付・時刻を意味する画像情報を合成する。このため、ユーザは合成した画像情報のみから不正な使用を検知した日時・時刻を知ることができる。
【００３３】
本発明の携帯通信端末装置は、上記構成において、記録部と、前記取得された周囲情報を、前記記録部に記録された所定のメールアドレスに送信する手段とをさらに具備した構成を採る。
【００３４】
この構成によれば、携帯通信端末装置は、取得した周囲情報を所定のメールアドレスに送付する。このため、ユーザは、遠隔地においても周囲情報を取得できユーザ以外の不正な使用者を特定することができる。
【００３５】
本発明の携帯通信端末装置は、上記構成において、前記携帯通信端末が携帯電話機である構成を採る。
【００３６】
この構成によれば、盗難、紛失、置き忘れ時にユーザ以外の不正な使用者を特定することができる携帯電話機を提供することができる。
【００３７】
本発明の携帯通信端末装置の遠隔制御方法は、外部機器からの認証許可の要求を判別し、その判別結果に基づいて認証許可情報を送出する認証ステップと、前記認証ステップにより認証を許可された前記外部機器からの指令に基づき周囲情報を取得する周囲情報取得ステップと、を具備するようにした。
【００３８】
この方法によれば、外部機器を使用するユーザは、認証指令に基づき携帯通信端末装置を制御し、通信回線を介した遠隔地に存在する携帯通信端末装置の周囲の周囲情報を取得できる。
【００３９】
【発明の実施の形態】
本発明の骨子は、紛失、盗難、置き忘れ時において、携帯通信端末装置が、遠隔操作による所定の設定に基づいて周囲の情報を取得することにより、その位置や不正使用に関する情報を本来のユーザに対して提供することである。
【００４０】
以下、本発明の実施の形態について、図面を参照して詳細に説明する。
【００４１】
（実施の形態１）
図１は、本発明の実施の形態１に係る携帯通信端末装置としての携帯電話機の構成を示すブロック図である。携帯電話機１００は、外部機器を構成する外部接続装置１１０と通信回線１２０を介して接続されており、外部接続装置１１０との間で情報の授受をすることができる。携帯電話機１００は、通信回線１２０との通信インターフェースである入出力部１３０と、通話・着呼・発呼等の音の発生・検知をする音声入出力部１４０と、ユーザが制御のための指令を入力する入力操作部１５０と、外部の静止画像または動画像を撮影する撮影部１６０と、文字情報や記号情報や画像情報を表示する表示部１７０と、全体の機能を制御する制御部１８０とから構成されている。
【００４２】
具体的には、音声入出力部１４０はマイクとスピーカとから構成されており、入力操作部１５０はスイッチやキーボードとから構成されており、撮影部１６０はＣＣＤ等の画像撮像素子とレンズからなるカメラで構成されており、表示部１７０は液晶ディスプレイまたはＥＬ（Ｅｌｅｃｔｒｏｌｕｍｉｎｅｓｃｅｎｃｅ）ディスプレイまたはブラウン管で構成されている。
【００４３】
制御部１８０は、外部接続装置１１０からの認証用暗証番号と、撮影部１６０で撮影した画像情報と、音声入出力部１４０で録音した音声情報とを記録する記憶部１８２と、外部接続装置１１０から受信した指令信号に基づき携帯電話機１００の機能を制御する遠隔操作対応制御部１８４とから構成されている。
【００４４】
次いで上記構成を有する携帯電話機１００の動作について、図２に示すフローチャートを用いて説明する。図２に示すフローチャートは、２つの処理系列に大別できる。第１の処理系列は、着呼をし、通話をし、切断をする処理系列である。第２の処理系列は、留守番電話の応答状態にある携帯電話機１００が、留守番電話の応答をする処理と外部接続装置１１０により遠隔操作される処理とを選択的に実行する処理系列である。
【００４５】
まず、第１の処理系列について説明をする。
【００４６】
ステップＳＴ２００において、入出力部１３０は、通信回線１２０を介した外部接続装置１１０からの呼出しを受信し、着呼する。
【００４７】
ステップＳＴ２１０において、制御部１８０は、留守番電話設定の有無を判別する。留守番電話設定が設定されている場合には、携帯電話機１００は、外部接続装置１１０による遠隔制御指令の有無を判別するステップＳＴ２７０に制御を移行する。留守番電話設定が設定されていない場合には、携帯電話機１００は、入力操作部１５０から通話開始を意味するキーの入力を待つステップＳＴ２２０に制御を移行する。
【００４８】
ステップＳＴ２２０において、制御部１８０は、通話開始を意味する通話開始キーの操作の有無を検知する。通話開始キーの操作を検知した場合には、制御部１８０は、外部接続装置１１０と携帯電話機１００との間で通話を開始し、ステップＳＴ２３０へ制御を移行する。通話開始キーを検知しない場合には、制御部１８０は、累計呼出回数と所定呼出回数と比較するステップＳＴ２６０へ制御を移行する。
【００４９】
ステップＳＴ２３０において、携帯電話機１００は、通信回線１２０を介して外部接続装置１１０と接続し、入出力部１３０と音声入出力部１４０とを介して音声による通話状態を保持する。
【００５０】
ステップＳＴ２４０において、制御部１８０は、通話終了を意味する通話終了キーの操作の有無を検知する。通話終了キーの操作を検知した場合には、制御部１８０は、通話を停止させ、外部接続装置１１０と携帯電話機１００との間の通信回線を切断するステップＳＴ２５０へ制御を移行する。通話終了キーを検知しない場合には、制御部１８０は、通話状態を保持し、ステップＳＴ２３０へ制御を移行する。その後、制御部１８０は、入力操作部１５０で入力された操作キーが通話終了を意味する通話終了キーであることを検知するまで、ステップＳＴ２３０とステップＳＴ２４０とを繰り返す。
【００５１】
ステップＳＴ２５０において、制御部１８０は、入出力部１３０に対し通信回線１２０を介した外部接続装置１１０との接続を切断する指令を出し、通話状態を終了する。
【００５２】
次に、第２の処理系列について説明をする。
【００５３】
ステップＳＴ２６０において、制御部１８０は、呼出音の鳴動回数を累計し、ユーザが設定可能で記憶部１８２に記録してある所定鳴動回数（例えばＮ回）に達したかを判定する。所定鳴動回数に達した場合には、制御部１８０は外部接続装置１１０と通信状態になり、ステップＳＴ２７０に制御を移行する。また所定鳴動回数に達しない場合には、制御部１８０は、通話開始キーを検知するステップＳＴ２２０へ制御を移行する。制御部１８０は、通話開始キーの検知、または累計鳴動回数の所定鳴動回数への到達のいずれか一方が成立するまで、ステップＳＴ２２０とステップＳＴ２６０とを繰り返す。
【００５４】
ステップＳＴ２７０において、遠隔操作対応制御部１８４は、外部接続装置１１０から送出された遠隔制御指令の受信の有無を判別する。遠隔制御指令を受信しない場合には、遠隔操作対応制御部１８４は留守番応答処理をするステップＳＴ２８０へと制御を移行する。これに対して、遠隔制御指令を受信した場合には、遠隔操作対応制御部１８４は、遠隔制御指令に含まれている外部接続装置１１０からの認証許可の要求と遠隔制御指令とを抽出する。まず、遠隔操作対応制御部１８４は、抽出した認証許可の要求に対して、認証の許可または、認証の不許可を判別する。ここで、認証の許可と判別した場合には、遠隔操作対応制御部１８４は、携帯電話機１００が外部接続装置１１０により遠隔操作をされるステップＳＴ２９０へと制御を移行する。これに対して、認証の不許可と判別した場合には、遠隔操作対応制御部１８４は、留守番応答処理をするステップＳＴ２８０へと制御を移行する。なお、通信回線１２０を介し外部接続装置１１０から送信された遠隔制御指令は、音声情報でもよいし、その他のいかなる伝達方法でもよい。
【００５５】
ステップＳＴ２８０において、制御部１８０は、外部接続装置１１０からの録音停止指令の受信、または通信回線１２０の切断のいずれかが発生するまで、通信回線１２０を介して外部接続装置１１０から送出された音声情報を受信し、記憶部１８２に記録する。
【００５６】
ステップＳＴ２９０において、遠隔操作対応制御部１８４は、通信回線１２０を介して外部接続装置１１０から送出された遠隔制御指令に基づき、周囲情報を取得する。具体的には、遠隔操作対応制御部１８４は、撮影部１６０を制御して周囲映像を撮影し、撮影した画像情報を記憶部１８２に記録させる。携帯電話機１００は、周囲映像を撮影することで、携帯電話機１００がおかれている周囲の状況を映像として把握することが出来る。例えば、携帯電話機１００を置き忘れた場合には、ユーザは撮影された周囲の画像から携帯電話機１００が存在する場所を特定することが出来る。
【００５７】
なお、外部接続装置１１０から送出された遠隔制御指令に基づき取得された周囲情報は、撮影部１６０を制御して周囲映像をズーム撮影したズーム画像情報でもよい。さらには、周囲情報は、音声入出力部１４０を制御して周囲音声を録音した音声情報でもよい。
【００５８】
また、遠隔操作対応制御部１８４は、記憶部１８２に記録している静止画像情報、動画像情報、または音声情報の少なくともいずれか一つの情報を、ユーザが任意に設定可能で記録部１８２に記録されたメールアドレスに送信する機能を有していてもよい。
【００５９】
このように、本実施の形態１の装置によれば、外部接続装置１１０は、携帯電話機１００に遠隔制御指令を送出して携帯電話機１００の周囲情報を取得する機能を遠隔操作し、周囲情報を取得することができる。
【００６０】
（実施の形態２）
図３は、本発明の実施の形態２に係る携帯電話機の構成を示すブロック図である。なお、図１と同一の機能を有する構成要素には、同一の符号を付し、詳細な説明を省略する。携帯電話機３００と外部接続装置１１０とは、通信回線１２０で接続されており、携帯電話機３００と外部接続装置１１０との間で情報の授受できる。携帯電話機３００は、入出力部１３０と、音声入出力部１４０と、入力操作部１５０と、撮影部１６０と、表示部１７０と、制御部３８０とから構成されている。
【００６１】
制御部３８０は、記憶部１８２と、外部接続装置１１０の自走動作指令に基づき携帯電話機３００の所定機能の動作を開始させ、さらに外部接続装置１１０との通信回線の切断後にも所定機能の動作を維持するような自走動作を設定する自走動作対応制御部３８４と、時計部３８６とから構成されている。
【００６２】
携帯電話機３００には、筐体可動部の動きを検知する可動検知部３９０と、筐体表面に配置され光強度を検知する光検知部３９２が配置されている。具体的に、携帯電話機３００は、折りたたみ式の筐体構造を有している。図４は、携帯電話機３００が折りたたまれた状態を示す斜視図である。携帯電話機３００は、第１の筐体４１０と第２の筐体４２０と、第１の筐体４１０と第２の筐体４２０を接続する折り畳み軸４３０とから構成されている。第１の筐体４１０と第２の筐体４２０は、折り畳み軸４３０を回転軸としながら折り曲げできる構造になっている。
【００６３】
図５は、携帯電話機３００が折り広げられた状態を示す斜視図である。表示部３７０は第１の筐体４１０上における、当該第１の筐体４１０と第２の筐体４２０とが相接する面に配置してあり、入力操作部３５０と可動検知部３９０と光検知部３９２とは、第１の筐体４１０上における、当該第１の筐体４１０と第２の筐体４２０とが相接する面に配置してある。
【００６４】
可動検知部３９０は、筐体の折りたたみ可動部の開き角度を検出する機能を有しており、筐体の折りたたみ角度が所定角度以上である場合に可動検知信号を送出する。
【００６５】
また、光検知部３９２は、第１の筐体４１０上における、当該第１の筐体４１０と第２の筐体４２０とが相接する面に配置してあるため、第１の筐体４１０と第２の筐体４２０が折りたたまれた状態では、光検知部３９２が受光する光強度は少ない。第１の筐体４１０と第２の筐体４２０が折り広げられるにつれ、光検知部３９２が受光する光強度は増加する。すなわち、第１の筐体４１０と第２の筐体４２０の開き角度と光検知部３９２が受光する光強度との間には相関関係があり、光強度の変化を検出することは、第１の筐体４１０と第２の筐体４２０の開き角度の変化を検出することに相当する。光検知部３９２は、受光する光強度が所定光強度以上の光強度を検出した場合、または受光する光強度の時間変化率が所定の光強度の時間変化率を超えた場合に、光検知信号を送出する。
【００６６】
次いで、上記構成を有する携帯電話機３００の動作について、図６と図７に示すフローチャートを用いて説明する。図６は、盗難、紛失、置き忘れ時に外部接続装置１１０が、通信回線１２０を介し携帯電話機３００を自走動作に設定するまでのフローチャートである。図７は、携帯電話機３００の自走動作の詳細を示すフローチャートである。
【００６７】
図６に示すフローチャートは、２つの処理系列に大別する。第１の処理系列は、携帯電話機３００が着呼をし、通話をし、切断をする処理系列である。第２の処理系列は、所定の方法で携帯電話機３００が留守番電話の応答状態に設定されるステップと、その後携帯電話機３００が留守番電話の応答をする処理と自走動作設定をする処理とを選択的に実行するステップとである。なお、図２と同一の機能を有するステップは、同一符号を付して重複する説明は省略するが、具体的には、図６は、図２のステップＳＴ２９０を図６のステップＳＴ６９０に置き換えたフローチャートである。そこで、第２処理系列のステップＳＴ６９０以降を説明する。
【００６８】
ステップＳＴ６９０において、自走動作対応制御部３８４は、通信回線１２０を介した外部接続装置１１０からの自走動作指令に基づき自走動作を設定する。外部接続装置１１０との通信状態が切断された後にも、自走動作対応制御部３８４は自走動作を維持する制御をする。
【００６９】
次に自走動作を、図７に示すフローチャートを用いて説明する。
【００７０】
ステップＳＴ６９０において、自走動作対応制御部３８４は、外部接続装置１１０からの自走動作指令に基づき自走動作を設定している。
【００７１】
ステップＳＴ７１０において、自走動作対応制御部３８４は、光検知部３９２から出力される光検知信号の受信の有無を判別する。ここで、光検知信号が出力される場合とは、光検知部３９２が検出した検出光強度値とあらかじめ設定している所定光強度とを比較し、検出光強度値が所定光強度以上である場合、または検出した検出光強度値の時間変化率があらかじめ設定している所定の光強度の時間変化率とを比較し、検出光強度値の時間変化率が所定の光強度の時間変化率以上である場合である。光検知部３９２から送出される光検知信号を受信した場合には、自走動作対応制御部３８４は、周囲情報を取得するステップＳＴ７４０に制御を移行する。また、光検知部３９２から光検知信号を受信しない場合には、自走動作対応制御部３８４は、可動部の動きを検知するステップＳＴ７２０に制御を移行する。
【００７２】
ステップＳＴ７２０において、自走動作対応制御部３８４は、可動検知部３９０から送出される可動検知信号の受信の有無を判別する。ここで、可動検知信号が出力される場合とは、可動検知部３９０が筐体の折りたたみ可動部の折りたたみ角度を検出し、あらかじめ設定している所定角度と比較し、検出した可動部の折りたたみ角度が所定角度以上である場合である。可動検知部３９０から送出される可動検知信号を受信した場合には、自走動作対応制御部３８４は、周囲情報を取得するステップＳＴ７４０に制御を移行する。また、可動検知部３９０から送出される可動検知信号を受信しない場合には、入力操作部３５０の入力操作を検知するステップＳＴ７３０に制御を移行する。
【００７３】
ステップＳＴ７３０において、自走動作対応制御部３８４は、入力操作部３５０がキー操作を検出した場合には、周囲情報を取得するステップＳＴ７４０に制御を移行する。また、自走動作対応制御部３８４は、入力操作部３５０がキー操作を検出しない場合には、ステップＳＴ７１０に制御を移行する。
【００７４】
すなわち一度、外部接続装置１１０の自走動作指令に基づき自走動作に設定されると、自走動作対応制御部３８４は、ステップＳＴ７１０の光検出ステップと、ステップＳＴ７２０の可動検知ステップと、ステップＳＴ７３０のキー操作検出ステップとの少なくともいずれか一つが検出されるまで、ステップＳＴ７１０の光検出ステップとステップＳＴ７２０の開閉検出ステップとＳＴ７３０のキー操作検出ステップとを順次繰り返す。本実施の形態２では、自走動作対応制御部３８４は、第１にステップＳＴ７１０の光検出ステップ、第２にステップＳＴ７２０の開閉検出ステップ、第３にステップＳＴ７３０のキー操作検出ステップと順次実行したが、ステップＳＴ７１０の光検出ステップとＴ７２０の開閉検出ステップとステップＳＴ７３０のキー操作検出ステップの順番はどのように組み合わせても一向に構わない。
【００７５】
ステップＳＴ７４０において、自走動作対応制御部３８４は、設定されている自走動作指令に基づき周囲情報を取得させ、記録部１８２に記録させる。具体的には、撮影部１６０は周囲映像を撮影して画像情報を取得し、記憶部１８２は取得された画像情報を記録する。なお、取得される周囲情報は、撮影部１６０が周囲映像をズーム撮影した拡大画像情報であってもよい。また画像情報は、静止画像情報でも、動画像情報でもよい。さらに取得された周囲情報は、音声入力部１４０が周囲の音を録音した音情報であってもよい。
【００７６】
ステップＳＴ７５０において、自走動作対応制御部３８４は、時計部１８６から年月日・時刻の情報を受信して、記憶部１８２に記録した周囲情報に付加する。具体的には、記憶している情報が画像情報の場合には、自走動作対応制御部３８４は、画像情報に年月日・時刻を意味する画像情報を合成し、記憶している情報が音声情報の場合には、音声情報に年月日・時刻を意味する音声情報を付加する。なお、自走動作対応制御部３８４は、ステップＳＴ７５０を選択的に実施する機能を有している。
【００７７】
ステップＳＴ７６０において、自走動作対応制御部３８４は、記憶部１８２に記録している周囲情報を、ユーザが任意に設定可能で記録部１８２に記録しているメールアドレスに送信する。なお、自走動作対応制御部３８４は、ステップＳＴ７６０を選択的に実施する機能有している。
【００７８】
このように本実施の形態２の携帯電話機によれば、携帯電話機３００は、外部接続装置１１０の自走動作指令で自走動作に設定されると、通信回線切断後も自走動作を維持できる。このため、通信回線切断後でも携帯電話機３００は、携帯電話機３００の使用開始の有無を検知することができる。盗難、紛失、置き忘れに際して、ユーザは、ユーザ以外の不正な使用者による使用開始を検知した時点での周囲情報を取得し、ユーザ以外の不正な使用者の特定を容易にする。
【００７９】
（実施の形態３）
図３は、本発明の実施の形態３に係る携帯通信端末装置としての携帯電話機の構成を示すブロック図である。なお、図３の詳細な説明は、実施の形態２にてなされているので、重複した説明は省略する。
【００８０】
次いで、上記構成を有する携帯電話機の動作について、図６と図８に示すフローチャートを用いて説明する。図６は、盗難、紛失、置き忘れに際して携帯電話機３００が、通信回線１２０を介した外部接続装置１１０の自走動作指令により自走動作に設定されるフローチャートである。図６は、実施の形態２に詳細が記載されているので重複する説明は省略する。図８は、図６のステップＳＴ６９０に示す自走動作を設定するステップの詳細を示したフローチャートである。
【００８１】
ステップＳＴ８１０において、制御部１８０は、通話開始を意味する通話開始キーの操作の有無を検知する。通話開始キーの操作を検知した場合には、制御部１８０は、通話状態を開始させステップＳＴ８２０へ制御を移行する。通話開始キーを検知しない場合には、制御部１８０はステップＳＴ８１０へ制御を移行する。すなわち、制御部１８０は、入力操作部１５０で入力された操作キーが通話開始を意味する通話開始キーであることを検知するまで、ステップＳＴ８１０を繰り返す。
【００８２】
ステップＳＴ８２０において、携帯電話機３００は、外部接続装置１１０との通信を開始した状態である。自走動作対応制御部３８４は、設定されている自走動作指令に基づき、周囲情報を取得させ、取得した周囲情報を記録部１８２に記録させる。具体的には、撮影部１６０は周囲映像を撮影して画像情報を取得し、記憶部１８２は取得された画像情報を記録する。なお、取得される周囲情報は、撮影部１６０が周囲映像をズーム撮影した拡大画像情報であってもよい。また画像情報は、静止画像情報でも、動画像情報でもよい。さらに取得された周囲情報は、音声入力部１４０が周囲の音を録音した音情報であってもよい。
【００８３】
ステップＳＴ８３０において、自走動作対応制御部３８４は、時計部１８６から年月日・時刻の情報を受信して、記憶部１８２に記録した周囲情報に付加する。具体的には、記憶している情報が画像情報の場合には、自走動作対応制御部３８４は、画像情報に年月日・時刻を意味する画像情報を合成し、記憶している情報が音声情報の場合には、音声情報に年月日・時刻を意味する音声情報を付加する。なお、自走動作対応制御部３８４は、ステップＳＴ８３０を選択的に実施する機能を有している。
【００８４】
ステップＳＴ８４０において、制御部１８０は、通話終了を意味する通話終了キーの操作の有無を検知する。通話終了キーの操作を検知した場合には、制御部１８０は、通話状態を停止させステップＳＴ８５０へ制御を移行する。通話終了キーを検知しない場合には、制御部１８０は、通話状態を保持しステップＳＴ８４０へ制御を移行する。この場合は入力操作部１５０で入力され操作キーが通話終了を意味する通話終了キーであることを検知するまで、ステップＳＴ８４０を繰り返す。
【００８５】
ステップＳＴ８５０において、自走動作対応制御部３８４は、記憶部１８２に記録している周囲情報を、記録部１８２に記録している所定のメールアドレスに送信する。なお、所定のメールアドレスに送信する情報は、ステップＳＴ８１０で通話をしている通話先の電話番号からなる情報でもよい。さらに、自走動作対応制御部３８４は、ステップＳＴ８５０を選択的に実施する機能を有している。
【００８６】
このように本実施の形態３の携帯電話機３００は、外部接続装置１１０の自走動作指令に基づき自走動作に設定された後に、通話開始を検知して周囲情報を取得する。これにより、盗難、紛失、置き忘れに際して、ユーザは、ユーザ以外の不正な使用者による使用開始を検知した時点での周囲情報を取得し、ユーザ以外の不正な使用者の特定を容易にする。
【００８７】
（実施の形態４）
図３は、本発明の実施の形態４に係る携帯通信端末装置としての携帯電話機の構成を示すブロック図である。なお、図３は、実施の形態２に詳細な説明がなされているので重複する説明は省略する。
【００８８】
次いで、上記構成を有する携帯通信端末装置の動作について、図９と図７に示すフローチャートを用いて説明する。図９は、予め設定されているキーロック解除の操作を誤った場合に、携帯電話機３００を自走動作に設定するフローチャートである。
【００８９】
ステップＳＴ９００において、携帯電話機３００は、入力操作部１５０であらかじめ設定されているキーロック解除キーの操作をされることで、入力規制が解除されることができる状態である。
【００９０】
ステップＳＴ９１０において、自走動作対応制御部３８４は入力操作部１５０から入力されたキー入力を識別する。
【００９１】
ステップＳＴ９２０において、自走動作対応制御部３８４は、記憶部１８０に記憶されているキーロック解除情報に基づき、ステップＳＴ９１０で入力されたキー入力情報の正誤を判別する。キーロック解除情報とステップＳＴ９１０で入力されたキー入力情報が一致する場合には、自走動作対応制御部３８４はキーロックを解除するステップＳＴ９３０に制御を移行する。一致しない場合には、自走動作対応制御部３８４はキーロック解除操作の再入力が可能かを判断するステップＳＴ９４０に制御を移行する。
【００９２】
ステップＳＴ９３０において、自走動作対応制御部３８４は、キーロック状態を解除し、入力操作部１５０からの制御を受け付ける。
【００９３】
ステップＳＴ９４０において、自走動作対応制御部３８４は、キーロック解除情報とステップＳＴ９１０で入力されたキー入力情報とが一致していない誤入力の累計回数と、キーロック誤入力の許容最大回数とを比較し、判別をする。累計回数が許容最大回数以下の場合には、自走動作対応制御部３８４は、キーロック解除情報がキー入力待ちをするＳＴ９１０に制御を移行する。また、累計回数が許容最大回数より大きい場合には、自走動作対応制御部３８４は、自走動作を設定するステップＳＴ９５０に制御を移行する。
【００９４】
ステップＳＴ９５０において、自走動作対応制御部３８４は、携帯電話機３００を自走状動作状態に設定し、キーロック解除のキー入力待ちをするステップＳＴ９１０に制御を移行する。ステップＳＴ９５０の詳細を図７に示すが、実施の形態２に詳細が記載されているので、重複する説明は省略する。
【００９５】
このように本実施の形態４の携帯電話機３００によれば、携帯電話機３００は、キーロック解除情報が誤入力された場合に、自走動作を設定することができる。このため、携帯電話機３００は、キーロック解除情報を誤入力するような不正な使用開始を検知することができる。盗難、紛失、置き忘れに際して、ユーザは、キーロックを解除できないユーザ以外の不正な使用者による使用開始を検知した時点での周囲情報を取得し、ユーザ以外の不正な使用者の特定を容易にする。
【００９６】
【発明の効果】
以上説明したように、本発明によれば、紛失、盗難、置き忘れ時において、携帯通信端末は、遠隔操作による所定の設定に基づいて周囲の情報を取得することにより、その位置や不正使用に関する情報を本来のユーザに対して提供することができる。
【図面の簡単な説明】
【図１】本発明の実施の形態１に係る携帯通信端末装置の構成を示すブロック図
【図２】本発明の実施の形態１に係る携帯通信端末装置の動作を説明するフローチャート
【図３】本発明の実施の形態２、３、４に係る携帯通信端末装置の構成を示すブロック図
【図４】本発明の実施の形態２に係る携帯通信端末装置の斜視図
【図５】本発明の実施の形態２に係る携帯通信端末装置の斜視図
【図６】本発明の実施の形態２に係る携帯通信端末装置の動作を説明するフローチャート
【図７】本発明の実施の形態２に係る携帯通信端末装置の動作を説明するフローチャート
【図８】本発明の実施の形態３に係る携帯通信端末装置の動作を説明するフローチャート
【図９】本発明の実施の形態４に係る携帯通信端末装置の動作を説明するフローチャート
【図１０】従来の携帯通信端末装置の構成を示すブロック図
【図１１】従来の監視システムの構成を示すブロック図
【符号の説明】
１００、３００  携帯通信端末（携帯電話機）
１１０  外部接続装置
１２０  通信回線
１３０  入出力部
１４０  音声入力部
１５０  入力操作部
１６０  撮影部
１７０  表示部
１８０  制御部
１８２  記憶部
１８４  遠隔操作対応制御部
３８６  時計部
３８４  自走動作対応制御部
３９０  可動検知部
３９２  光検知部
４１０、４２０  筐体
４３０  折り畳み軸
【図１】
2004235771.tif 000003
【図２】
2004235771.tif 000004
【図３】
2004235771.tif 000005
【図４】
2004235771.tif 000006
【図５】
2004235771.tif 000007
【図６】
2004235771.tif 000008
【図７】
2004235771.tif 000009
【図８】
2004235771.tif 000010
【図９】
2004235771.tif 000011
【図１０】
2004235771.tif 000012
【図１１】
2004235771.tif 000013